(57)【要約】【課題】防火性能を確保することが可能になる、防火戸用の開閉体を提供すること。【解決手段】防火戸用の開閉体２０は、建物の開口部に設けられる防火戸を構成する開閉体であって、開閉体本体３０と、開閉体本体３０の見付面を覆うように設けられた室外側見付面カバー部４０ａ及び室内側見付面カバー部４０ｂであって、可燃性を有する可燃性カバー材４１と耐火性を有する耐火性カバー材４２とを見込方向に積層してなる室外側見付面カバー部４０ａ及び室内側見付面カバー部４０ｂと、耐火性を有する剥離防止部７０であって、全閉状態において防火戸の周辺で火災が発生した際に、室外側見付面カバー部４０ａ及び室内側見付面カバー部４０ｂの各々の少なくとも耐火性カバー材４２が開閉体本体３０から剥離することを防止するための剥離防止部７０と、を備える。【選択図】図３
2020180447.tif 000002
【特許請求の範囲】
【請求項１】
建物の開口部に設けられる防火戸を構成する開閉体であって、
開閉体本体と、
前記開閉体本体の見付面を覆うように設けられたカバー手段であって、可燃性を有する可燃性カバー材と耐火性を有する耐火性カバー材とを見込方向に積層してなるカバー手段と、
耐火性を有する剥離防止手段であって、当該開閉体によって前記開口部を全閉した全閉状態において前記防火戸の周辺で火災が発生した際に、前記カバー手段のうち少なくとも前記耐火性カバー材が前記開閉体本体から剥離することを防止するための剥離防止手段と、
を備える防火戸用の開閉体。
【請求項２】
前記剥離防止手段は、
前記カバー手段のうち少なくとも前記耐火性カバー材が見込方向の外側に向けて変形することを抑制するための変形抑制手段と、
前記変形抑制手段を前記開閉体本体に対して固定するための固定手段と、を備える、
請求項１に記載の防火戸用の開閉体。
【請求項３】
前記カバー手段は、
前記開閉体本体の見付面と当接するように配置された前記耐火性カバー材と、
前記耐火性カバー材よりも外側に位置する第１可燃性カバー材であって、化粧板として機能する第１可燃性カバー材と、
前記耐火性カバー材と前記第１可燃性カバー材との相互間に位置する第２可燃性カバー材であって、下地材として機能する第２可燃性カバー材と、を積層してなり、
前記変形抑制手段の一部が前記第１可燃性カバー材と前記耐火性カバー材との相互間に位置し、且つ前記変形抑制手段の他の一部が前記開閉体本体の見込面に対して前記固定手段によって固定されることが可能となるように、前記変形抑制手段を構成した、
請求項２に記載の防火戸用の開閉体。
【請求項４】
前記変形抑制手段を、断面形状が略コ字状である板状体に形成した、
請求項３に記載の防火戸用の開閉体。
【請求項５】
前記カバー手段は、
前記開閉体本体の見付面のいずれか一方を覆うように設けられた第１カバー手段と、
前記開閉体本体の見付面のいずれか他方を覆うように設けられた第２カバー手段と、を含み、
前記変形抑制手段によって、少なくとも前記開閉体本体と、前記第１カバー手段の前記耐火性カバー材と、前記第２カバー手段の前記耐火性カバー材とが挟み込まれるように、当該変形抑制手段を形成した、
請求項４に記載の防火戸用の開閉体。
【請求項６】
前記防火戸を、前記建物の壁部に形成された前記開口部に設け、
前記剥離防止手段を、当該開閉体の見込面のうち上側に位置する上側見込面の略全体にわたって設けた、
請求項１から５のいずれか一項に記載の防火戸用の開閉体。
【発明の詳細な説明】
【技術分野】
【０００１】
本発明は、防火戸用の開閉体に関する。
【背景技術】
【０００２】
従来、建物の開口部に設けられる木製の扉を対象として、扉の開閉体が防火性能を有する技術が提案されている。このような技術においては、芯材と、芯材の見付面を覆うように設けられた化粧合板と、芯材と化粧合板との相互間に設けられた耐火シートと、耐火シートと芯材との相互間に設けられた不燃紙とを有する開閉体を備えた扉が開示されている（例えば、特許文献１参照）。また、この開閉体を構成する構成要素（芯材、化粧合板、耐火シート、不燃紙）のうち隣接する構成要素同士は、接着剤によって相互に接続されている。
【先行技術文献】
【特許文献】
【０００３】
【特許文献１】特開２０１７−４４０２５号公報
【発明の概要】
【発明が解決しようとする課題】
【０００４】
ここで、上記従来の扉においては、当該扉の近傍位置且つ当該扉よりも見込方向側の位置で火災が発生した際には、当該火災の熱によって開閉体の見込方向への反りが生じやすく、特に、開閉体のサイズが大きくなるにつれて、上記開閉体の見込方向への反りが大きくなる傾向がある。このため、例えば、上記火災時において、当該火災の熱で耐火シート又は不燃紙に塗布された接着剤が溶け、且つ上記開閉体の見込方向への反りが比較的大きくなると、耐火シート又は不燃紙が芯材から剥離して芯材の見付面が当該火災の火炎に直接晒されることにより、芯材が燃焼してしまうおそれがあった。よって、防火性能を確保する観点からは改善の余地があった。
【０００５】
本発明は、上記従来技術における課題を解決するためのものであって、防火性能を確保することが可能になる、防火戸用の開閉体を提供することを目的とする。
【課題を解決するための手段】
【０００６】
上述した課題を解決し、目的を達成するために、請求項１に記載の防火戸用の開閉体は、建物の開口部に設けられる防火戸を構成する開閉体であって、開閉体本体と、前記開閉体本体の見付面を覆うように設けられたカバー手段であって、可燃性を有する可燃性カバー材と耐火性を有する耐火性カバー材とを見込方向に積層してなるカバー手段と、耐火性を有する剥離防止手段であって、当該開閉体によって前記開口部を全閉した全閉状態において前記防火戸の周辺で火災が発生した際に、前記カバー手段のうち少なくとも前記耐火性カバー材が前記開閉体本体から剥離することを防止するための剥離防止手段と、を備える。
【０００７】
請求項２に記載の防火戸用の開閉体は、請求項１に記載の防火戸用の開閉体において、前記剥離防止手段は、前記カバー手段のうち少なくとも前記耐火性カバー材が見込方向の外側に向けて変形することを抑制するための変形抑制手段と、前記変形抑制手段を前記開閉体本体に対して固定するための固定手段と、を備える。
【０００８】
請求項３に記載の防火戸用の開閉体は、請求項２に記載の防火戸用の開閉体において、前記カバー手段は、前記開閉体本体の見付面と当接するように配置された前記耐火性カバー材と、前記耐火性カバー材よりも外側に位置する第１可燃性カバー材であって、化粧板として機能する第１可燃性カバー材と、前記耐火性カバー材と前記第１可燃性カバー材との相互間に位置する第２可燃性カバー材であって、下地材として機能する第２可燃性カバー材と、を積層してなり、前記変形抑制手段の一部が前記第１可燃性カバー材と前記耐火性カバー材との相互間に位置し、且つ前記変形抑制手段の他の一部が前記開閉体本体の見込面に対して前記固定手段によって固定されることが可能となるように、前記変形抑制手段を構成した。
【０００９】
請求項４に記載の防火戸用の開閉体は、請求項３に記載の防火戸用の開閉体において、前記変形抑制手段を、断面形状が略コ字状である板状体に形成した。
【００１０】
請求項５に記載の防火戸用の開閉体は、請求項４に記載の防火戸用の開閉体において、前記カバー手段は、前記開閉体本体の見付面のいずれか一方を覆うように設けられた第１カバー手段と、前記開閉体本体の見付面のいずれか他方を覆うように設けられた第２カバー手段と、を含み、前記変形抑制手段によって、少なくとも前記開閉体本体と、前記第１カバー手段の前記耐火性カバー材と、前記第２カバー手段の前記耐火性カバー材とが挟み込まれるように、当該変形抑制手段を形成した。
【００１１】
請求項６に記載の防火戸用の開閉体は、請求項１から５のいずれか一項に記載の防火戸用の開閉体において、前記防火戸を、前記建物の壁部に形成された前記開口部に設け、前記剥離防止手段を、当該開閉体の見込面のうち上側に位置する上側見込面の略全体にわたって設けた。
【発明の効果】
【００１２】
請求項１に記載の防火戸用の開閉体によれば、開閉体本体の見付面を覆うように設けられたカバー手段であって、可燃性を有する可燃性カバー材と耐火性を有する耐火性カバー材とを見込方向に積層してなるカバー手段と、耐火性を有する剥離防止手段であって、全閉状態において防火戸の周辺で火災が発生した際に、カバー手段のうち少なくとも耐火性カバー材が開閉体本体から剥離することを防止するための剥離防止手段と、を備えるので、上記火災時において、開閉体の見込方向への反りが比較的大きくなること等でカバー手段の耐火性カバー材が開閉体本体から剥離しやすい状態になったとしても、剥離防止手段によって当該剥離を防止できる。よって、開閉体本体の見付面が上記火災の火炎に直接晒されることで開閉体本体が燃焼してしまうことを回避でき、従来技術（芯材の見付面を化粧合板、耐火シート、不燃紙で単に覆う技術）に比べて、防火戸の防火性能を確保することが可能となる。
【００１３】
請求項２に記載の防火戸用の開閉体によれば、剥離防止手段が、カバー手段のうち少なくとも耐火性カバー材が見込方向の外側に向けて変形することを抑制するための変形抑制手段と、変形抑制手段を開閉体本体に対して固定するための固定手段と、を備えるので、変形抑制手段によってカバー手段の耐火性カバー材が見込方向の外側に向けて変形することを抑制でき、上記火災時に当該耐火性カバー材が開閉体本体から剥離することを防止しやすくなる。また、固定手段によって変形抑制手段を開閉体本体に対して固定でき、変形抑制手段を開閉体本体から脱落させることなく確実に機能させることが可能となる。
【００１４】
請求項３に記載の防火戸用の開閉体によれば、カバー手段が、開閉体本体の見付面と当接するように配置された耐火性カバー材と、耐火性カバー材よりも外側に位置する第１可燃性カバー材であって、化粧板として機能する第１可燃性カバー材と、耐火性カバー材と第１可燃性カバー材との相互間に位置する第２可燃性カバー材であって、下地材として機能する第２可燃性カバー材と、を積層してなり、変形抑制手段の一部が第１可燃性カバー材と耐火性カバー材との相互間に位置し、且つ変形抑制手段の他の一部が開閉体本体の見込面に対して固定手段によって固定されることが可能となるように、変形抑制手段を構成したので、全閉状態において、防火戸の見込方向側から見て変形抑制手段が目立ちにくくなることから、防火戸の意匠性を維持できる。
【００１５】
請求項４に記載の防火戸用の開閉体によれば、変形抑制手段を、断面形状が略コ字状である板状体に形成したので、変形抑制手段が簡易な構造でありながら、変形抑制手段の一部をカバー手段の第１可燃性カバー材と耐火性カバー材との間に位置させながら、変形抑制手段の他の一部を開閉体本体の見込面に対して固定手段によって固定でき、変形抑制手段の製造性を高めることができる。
【００１６】
請求項５に記載の防火戸用の開閉体によれば、変形抑制手段によって、少なくとも開閉体本体と、第１カバー手段の耐火性カバー材と、第２カバー手段の耐火性カバー材とが挟み込まれるように、当該変形抑制手段を形成したので、１つの変形抑制手段を用いて第１カバー手段の耐火性カバー材の変形、及び第２カバー手段の耐火性カバー材の変形を抑制できる。よって、変形抑制手段の設置数を低減でき、開閉体の設置コストを抑制できる。
【００１７】
請求項６に記載の防火戸用の開閉体によれば、防火戸を、建物の壁部に形成された開口部に設け、剥離防止手段を、当該開閉体の見込面のうち上側に位置する上側見込面の略全体にわたって設けたので、上記火災時にカバー手段の耐火性カバー材の上側部分が開閉体本体から剥離することを効果的に防止でき、開閉体本体の見付面が当該火災の火炎に直接晒されることで開閉体本体が燃焼してしまうことを回避しやすくなる。
【図面の簡単な説明】
【００１８】
【図１】本発明の実施の形態に係る防火戸を示す図であって、全閉状態を示す正面図である。
【図２】開閉体の正面図である。
【図３】図２のＡ−Ａ矢視断面図である。
【図４】図２のＢ−Ｂ矢視断面図である。
【図５】図２の平面図である（一部図示省略）。
【図６】図２のＣ−Ｃ矢視断面図である。
【図７】火災時の開閉体の状況を示す図であって、図３に対応する領域を示す図である。
【図８】火災時の開閉体の戸先側部分の状況を示す断面図であり、（ａ）は開閉体の反りが生じていない状態を示す図、（ｂ）は開閉体の反りが生じている状態を示す図である。
【図９】開閉体の変形例を示す図であって、図３に対応する領域を示す図である。
【図１０】開閉体の変形例を示す図であって、図３に対応する領域を示す図である。
【図１１】開閉体の変形例を示す図であって、図３に対応する領域を示す図である。
【図１２】開閉体の変形例を示す図であって、図３に対応する領域を示す図である。
【発明を実施するための形態】
【００１９】
以下に添付図面を参照して、この発明に係る防火戸用の開閉体の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２０】
〔Ｉ〕実施の形態の基本的概念
まず、実施の形態の基本的概念について説明する。実施の形態は、概略的に、建物の開口部に設けられる防火戸を構成する開閉体に関するものである。
【００２１】
ここで、「建物」の具体的な構造や種類は任意であるが、例えば、アパートやマンションの如き集合住宅、オフィスビル、商業施設、及び公共施設等を含む概念である。また、「建物の開口部」とは、建物の躯体の一部分（例えば、壁、天井、床等）において出入口を設置するために形成された開口部である。また、「防火戸」とは、建物の開口部の出入り又は視界を抑制又は制限するための構造体であって、防火性能を有する扉装置を意味する。また、防火戸の取り付け位置や用途は任意であるが、例えば玄関に設置される「玄関扉」、勝手口や通用口に設置される「勝手口扉」、建物内部に設置される「室内扉」等を含む。また、防火戸の開閉構造は任意であり、例えば、片開式の開き戸、潜り戸付き片開式の開き戸（いわゆる潜り戸付き扉）、両開式の開き戸（いわゆる親子型の扉）、片開式の引き戸、両開式の引き戸、又は潜り戸付き引き戸として構成することができる。また「防火戸の開閉体の開閉状態」とは、例えば、全閉状態、全開状態、及び半開状態を含む概念である。このうち、「全閉状態」とは、開閉体によって開口部を全閉した状態であり、実施の形態では、全閉状態における開閉体の位置を「全閉位置」と称する。また、「全開状態」とは、開閉体によって開口部を全開した状態であり、実施の形態では、全開状態における開閉体の位置（具体的には、全閉位置よりも部屋の室外側の位置）を「全開位置」と称する。また、「半開状態」とは、開閉体が全閉位置と全開位置との間に位置している状態である。以下、実施の形態では、防火戸が、商業施設の如き建物の避難通路に面する位置に配置された片開式の開き戸であって、この避難通路に隣接する部屋の中で火災が発生した際に、当該火災の延焼を抑制するための開き戸である場合について説明する。
【００２２】
〔ＩＩ〕実施の形態の具体的内容
次に、実施の形態の具体的内容について説明する。
【００２３】
（構成）
最初に、実施の形態に係る防火戸用の開閉体が適用される防火戸の構成について説明する。以下の説明では、図１のＸ方向を防火戸の左右方向（−Ｘ方向を防火戸の左方向、＋Ｘ方向を防火戸の右方向）、図３のＹ方向を防火戸の前後方向（＋Ｙ方向を防火戸の前方向（部屋の室外側の方向）、−Ｙ方向を防火戸の後方向（部屋の室内側の方向））、図１のＺ方向を防火戸の上下方向（＋Ｚ方向を防火戸の上方向、−Ｚ方向を防火戸の下方向）と称する。
【００２４】
図１に示すように、防火戸１は、概略的に、枠体１０、開閉体２０、及びヒンジ部６０を備えている。ただし、防火戸１に関する特記しない構成については、従来と同様であるものとして説明を省略する。なお、後述する防火戸１を構成する各種部材同士の取付方法（又は接続方法）については任意であるが、例えば、取付側の部材又は取付相手側の部材に形成された取付孔（例えば、リベット孔、ネジ孔、ビス孔等）を介して、取付側の部材を取付相手側の部材に対して固定具（例えば、リベット、取付ネジ、ビス等）、溶接、接着剤、両面テープ等によって取り付ける（又は接続する）方法が採用されている。
【００２５】
（構成−枠体）
枠体１０は、躯体２の壁部２ａに形成された開口部３の周縁に設置されるものであり、図１に示すように、例えば耐火性材料（一例として、スチール材、ステンレス材の如き鋼材等）にて形成された左右一対の縦枠材１１、１２上下一対の横枠材１３、１４を備えている。これら縦枠材及び横枠材は、それぞれ躯体２に対して固定されており、相互に組み合わせられることによって、正面形状が略矩形環状となるように形成されている。以下では、必要に応じて、左右一対の縦枠材１１、１２のうち、開口部３の戸尻側に位置する縦枠材１１を「戸尻側縦枠材１１」と称し、開口部３の戸先側に位置する縦枠材１２を「戸先側縦枠材１２」と称する。また、上下一対の横枠材１３、１４のうち、開口部３の上方側に位置する横枠材１３を「上側横枠材１３」と称し、開口部３の下方側に位置する横枠材１４を「くつずり横枠材１４」と称する。
【００２６】
また、この戸先側縦枠材１２には、デッドボルト受け及びラッチ受けが設けられている（いずれも図示省略）。デッドボルト受けは、全閉状態において、開閉体２０に設けられた後述するデッドボルトを受けるためのデッドボルト受容手段であり、後述するデッドボルトと対応する位置に配置されている。ラッチ受けは、開閉体２０に設けられた後述するラッチを受けるためのラッチ受容手段であり、ラッチと対応する位置に配置されている。なお、枠体１０の構成の詳細については後述する。
【００２７】
（構成−開閉体）
開閉体２０は、開口部３を開閉するためのものである。この開閉体２０は、図１から図５に示すように、枠体１０内に設けられており、開閉体本体３０、室外側見付面カバー部４０ａ、室内側見付面カバー部４０ｂ、戸尻側見込面カバー部５０ａ、戸先側見込面カバー部５０ｂ、及び下側見込面カバー部（図示省略）を備えている。なお、以下では、開閉体２０及び開閉体本体３０の各々の見付面のうち、部屋の室外側の見付面を「室外側見付面」と称し、部屋の室内側の見付面を「室内側見付面」と称する。また、開閉体２０及び開閉体本体３０の見込面のうち、戸尻側の見込面を「戸尻側見込面」と称し、戸先側の見込面を「戸先側見込面」と称し、上側の見込面を「上側見込面」と称し、下側の見込面を「下側見込面」と称する。
【００２８】
（構成−開閉体−開閉体本体）
図２に戻り、開閉体本体３０は、開閉体２０の基本構造体であり、図２に示すように、開閉体フレーム３１及び芯材３２を備えている。
【００２９】
（構成−開閉体−開閉体本体−開閉体フレーム）
開閉体フレーム３１は、開閉体２０の剛性を主として担うものである。この開閉体フレーム３１は、可燃性を有する複数の框材（一例として、木製の集成材からなる框材）を組み合わせることによって、正面形状が矩形環状となるように形成されており、具体的には、図２に示すように、左右一対の縦框材３１ａ、３１ｂ及び上下一対の横框材３１ｃ、３１ｄから構成されている。このうち、左右一対の縦框材３１ａ、３１ｂは、長手方向の長さが相互に略同一となるように形成されており、上下方向に略沿うように配置されている。また、上下一対の横框材３１ｃ、３１ｄは、長手方向の長さが相互に略同一となるように形成されており、左右方向に略沿うように配置されている。なお、以下では、必要に応じて、左右一対の縦框材３１ａ、３１ｂのうち、戸尻側に位置する縦框材３１ａを「戸尻側縦框材３１ａ」と称し、戸先側に位置する縦框材３１ｂを「戸先側縦框材３１ｂ」と称する。また、上下一対の横框材３１ｃ、３１ｄのうち、上側に位置する横框材３１ｃを「上側横框材３１ｃ」と称し、下側に位置する横框材３１ｄを「下側横框材３１ｄ」と称する。
【００３０】
（構成−開閉体−開閉体本体−芯材）
芯材３２は、開閉体本体３０の内部に充填されるものである。この芯材３２は、例えば公知の芯材（一例として、ロックウール、ケイ酸カルシウム材）等を用いて構成されており、図２に示すように、開閉体フレーム３１、室外側見付面カバー部４０ａ、及び室内側見付面カバー部４０ｂによって囲繞された空間内に充填されている。
【００３１】
（構成−開閉体−室外側見付面カバー部、室内側見付面カバー部）
図１に戻り、室外側見付面カバー部４０ａは、開閉体本体３０の室外側見付面を覆うための第１カバー手段（カバー手段）であり、室内側見付面カバー部４０ｂは、開閉体本体３０の室内側見付面を覆うための第２カバー手段（カバー手段）である。図１から図３に示すように、室外側見付面カバー部４０ａは、開閉体本体３０の室外側見付面（実施の形態では、室外側見付面の略全体）を覆うように配置されていると共に、室内側見付面カバー部４０ｂは開閉体本体３０の室内側見付面（実施の形態では、室内側見付面の略全体）を覆うように配置されている。そして、これら室外側見付面カバー部４０ａ及び室内側見付面カバー部４０ｂは、開閉体本体３０に対して固定されている。
【００３２】
また、室外側見付面カバー部４０ａ及び室内側見付面カバー部４０ｂの具体的な構成については任意であるが、実施の形態では、可燃性カバー材４１と耐火性カバー材４２とを見込方向（具体的には、前後方向）に積層してなるようにそれぞれ構成されている。具体的には、図３に示すように、室外側見付面カバー部４０ａ及び室内側見付面カバー部４０ｂの各々は、開閉体本体３０の見付面と当接するように配置された耐火性カバー材４２と、耐火性カバー材４２よりも外側に位置する可燃性カバー材４１ａであって、化粧板として機能する可燃性カバー材４１ａ（以下、「第１可燃性カバー材４１ａ」と称する）と、耐火性カバー材４２と第１可燃性カバー材４１ａとの相互間に位置する可燃性カバー材４１ｂであって、下地材として機能する可燃性カバー材４１ｂ（以下、「第２可燃性カバー材４１ｂ」と称する）と、を積層してなるように構成されている。この場合において、耐火性カバー材４２、第１可燃性カバー材４１ａ、及び第２可燃性カバー材４１ｂを接続する方法については任意であるが、実施の形態では、隣接するカバー材同士を接着剤によって相互に接続していると共に、耐火性カバー材４２と開閉体本体３０とを接着剤によって相互に接続している。
【００３３】
ここで、「耐火性カバー材４２」とは、耐火性を有するカバー材であり、例えば、火山性ガラス質材料又はケイ酸カルシウムで形成された耐火板等を含む概念であるが、実施の形態では、火山性ガラス質材料で形成された耐火板として説明する。また、「可燃性カバー材４１」とは、可燃性を有するカバー材であり、例えば、木製又は樹脂製の板材等を含む概念であるが、実施の形態では、「第１可燃性カバー材４１ａ」を木製の化粧板として説明すると共に、「第２可燃性カバー材４１ｂ」は木製の下地合板として説明する。
【００３４】
（構成−開閉体−戸尻側見込面カバー部、戸先側見込面カバー部、下側見込面カバー部）
戸尻側見込面カバー部５０ａは、開閉体本体３０の戸尻側見込面を覆うためのものであり、戸先側見込面カバー部５０ｂは、開閉体本体３０の戸先側見込面を覆うためのものであり、下側見込面カバー部は、開閉体本体３０の下側見込面を覆うためのものである。図５に示すように、戸尻側見込面カバー部５０ａは、開閉体本体３０の戸尻側見込面（実施の形態では、戸尻側見込面の略全体）を覆うように配置され、戸先側見込面カバー部５０ｂは、開閉体本体３０の戸先側見込面（実施の形態では、戸先側見込面の略全体）を覆うように配置され、下側見込面カバー部は、開閉体本体３０の下側見込面（実施の形態では、下側見込面の略全体）を覆うように配置されている。そして、これら戸尻側見込面カバー部５０ａ、戸先側見込面カバー部５０ｂ、及び下側見込面カバー部は、開閉体本体３０、室外側見付面カバー部４０ａ、又は室内側見付面カバー部４０ｂに対して接着剤等によって固定されている。
【００３５】
また、戸尻側見込面カバー部５０ａ、戸先側見込面カバー部５０ｂ、及び下側見込面カバー部の具体的な構成については任意であるが、実施の形態では、戸尻側見込面カバー部５０ａ及び戸先側見込面カバー部５０ｂについては、可燃性を有するカバー材（一例として、木製の化粧板等）を用いて構成されている。また、下側見込面カバー部については、気密材（一例として、気密ゴム等）と、気密材よりも部屋の室外側又は室内側に設けられた熱膨張耐火部材（一例として、フィブロック（登録商標）等）とを用いて構成されている。ただし、これに限らず、例えば、耐火性を有するカバー材（一例として、火山性ガラス質材料で形成された耐火板等）を用いて構成されてもよい。
【００３６】
（構成−開閉体−その他の構成）
図２に戻り、開閉体２０のその他の構成については任意であるが、実施の形態では、図２に示すように、把手部２１、ラッチ（図示省略）、施錠装置２２、及びドアクローザ２３をさらに備えている。
【００３７】
このうち、把手部２１は、開閉体２０の開閉操作を行うためのものであり、例えば公知の把手等を用いて構成され、図２に示すように、開閉体２０の戸先側部分に設けられている。
【００３８】
また、ラッチは、全閉状態の位置に開閉体２０を維持するためのものであり、例えば公知のラッチを用いて構成され、開閉体２０の戸先側部分に設けられている。
【００３９】
また、施錠装置２２は、開閉体２０を施錠するためのものであり、例えば、図示しないデッドボルトを備える公知の施錠装置等を用いて構成され、図２に示すように、開閉体２０の戸先側部分に設けられている。
【００４０】
また、ドアクローザ２３は、全開状態又は半開状態になった場合に、開閉体２０を安全な速度で自動的に閉じるためのものであると共に、開閉体２０の回動状態が全開位置以上に回動することを規制するためのものである。このドアクローザ２３は、例えば、本体部２３ａ及びアーム部２３ｂを備える公知のドアクローザ等を用いて構成されており、開閉体２０の上方部分に設けられている。具体的には、図２、図４、図５に示すように、ドアクローザ２３の本体部２３ａは、開閉体本体３０の内部に設けられていると共に、ドアクローザ２３のアーム部２３ｂは、開閉体本体３０及び室内側見付面カバー部４０ｂの一部を切り欠くことにより形成された収容空間部２４内に設けられている。なお、開閉体本体３０及び室内側見付面カバー部４０ｂの切り欠かれた切欠部分には、当該部分を覆うためのカバー部であって、耐火性を有する図示しないカバー部（例えば公知の耐火板等）が設けられてもよい。
【００４１】
（構成−ヒンジ部）
図１に戻り、ヒンジ部６０は、開閉体２０を戸尻側縦枠材１１に対して回動自在に軸支するためのものである。このヒンジ部６０は、例えば公知のヒンジ部材（一例として、旗蝶番等）を用いて構成されており、図１に示すように、開閉体２０の戸尻側の端部（図１では、右端部）において、相互に間隔を隔てて上下方向に沿って複数並設されており、開閉体２０及び戸尻側縦枠材１１に対して固定具等によって取り付けられている。
【００４２】
（構成−戸尻側縦枠材及び戸先側縦枠材の構成の詳細）
図１に戻り、次に、枠体１０の戸尻側縦枠材１１及び戸先側縦枠材１２の構成の詳細について説明する。ただし、戸尻側縦枠材１１及び戸先側縦枠材１２は、特記する場合を除いて、任意の形状、方法、及び材質で製造することができる。実施の形態において、図１、図８に示すように、戸尻側縦枠材１１及び戸先側縦枠材１２の各々は、縦枠材本体１１ａ、縦枠材側固定材１１ｂ、及び縦枠材側気密部１１ｃを備えている。
【００４３】
縦枠材本体１１ａは、戸尻側縦枠材１１（又は戸先側縦枠材１２）の基本構造体である。この縦枠材本体１１ａは、Ｘ−Ｙ平面に沿った断面形状が左右方向の外側に向けて開放された略コ字状となるように形成された中空状体であり、開口部３の上下方向の略全長にわたって形成されている。また、図８に示すように、縦枠材本体１１ａには、縦枠材側凹部１１ｄ及び縦枠材側気密凹部１１ｅが設けられている。このうち、縦枠材側凹部１１ｄは、開閉体２０を収容しながら縦枠材本体１１ａと開閉体２０との干渉を回避するためのものであり（いわゆる相じゃくり構造である凹部）、縦枠材本体１１ａにおける開閉体２０に対応する部分を左右方向の外側に向けて窪ませることにより形成されている。また、縦枠材側気密凹部１１ｅは、縦枠材側気密部１１ｃの一部を収容するためのものであり、縦枠材側凹部１１ｄのうち部屋の室内側の部分（図８では、後側部分）を部屋の室内側に向けて窪ませることにより形成されている。
【００４４】
縦枠材側固定材１１ｂは、縦枠材本体１１ａを躯体２に対して固定すると共に、縦枠材本体１１ａを補強するためのものである。この縦枠材側固定材１１ｂは、板状体にて形成されており、具体的には、図８に示すように、当該縦枠材側固定材１１ｂの前後方向の長さが縦枠材本体１１ａのコ字状の開放端部における前後方向の長さと略同一（又はそれ以上の長さ）であり、当該縦枠材側固定材１１ｂの上下方向の長さが縦枠材本体１１ａの上下方向の長さよりも短くなるように形成されている。また、この縦枠材側固定材１１ｂは、縦枠材本体１１ａのコ字状の開放端部側（図８では、縦枠材本体１１ａの左右方向の外側の端部側）において、所定間隔を隔てて上下方向に沿って複数並設配置されており、縦枠材本体１１ａに対して溶接等によって固定されている。
【００４５】
縦枠材側気密部１１ｃは、戸尻側縦枠材１１（又は戸先側縦枠材１２）と開閉体２０との相互間の気密性を高めるための気密手段である。この縦枠材側気密部１１ｃは、例えば公知の長尺な気密材（一例として、エアタイトゴム等）を用いて構成されており（なお、他の気密部についても同様とする）、図８に示すように、縦枠材側気密凹部１１ｅにおいて縦枠材本体１１ａの上下方向の略全長にわたって埋設されている。
【００４６】
（構成−上側横枠材の構成の詳細）
図１に戻り、次に、枠体１０の上側横枠材１３の構成の詳細について説明する。ただし、上側横枠材１３は、特記する場合を除いて、任意の形状、方法、及び材質で製造することができる。実施の形態において、図１に示すように、上側横枠材１３は、上側横枠材本体１３ａ、上側固定材（図示省略）、及び上側気密部（図示省略）を備えている。
【００４７】
上側横枠材本体１３ａは、上側横枠材１３の基本構造体である。この上側横枠材本体１３ａは、Ｙ−Ｚ平面に沿った断面形状が上下方向の外側（具体的には、上側）に向けて開放された略コ字状となるように形成された中空状体であり、開口部３の左右方向の略全長にわたって形成されている。また、上側横枠材本体１３ａには、上側凹部及び上側気密凹部が設けられている（いずれも図示省略）。上側凹部は、開閉体２０を収容しながら上側横枠材１３と開閉体２０との干渉を回避するためのものであり（いわゆる相じゃくり構造である凹部）、上側横枠材本体１３ａにおける開閉体２０に対応する部分を上下方向の外側（具体的には、上側）に向けて窪ませることにより形成されている。また、上側気密凹部は、上側気密部の一部を収容するためのものであり、上側凹部のうち部屋の室内側の部分（具体的には、後側部分）を部屋の室内側に向けて窪ませることにより形成されている。
【００４８】
上側固定材は、上側横枠材本体１３ａを躯体２に対して固定すると共に、上側横枠材本体１３ａを補強するためのものである。この上側固定材は、板状体にて形成されており、具体的には、当該上側固定材の前後方向の長さが上側横枠材本体１３ａのコ字状の開放端部における前後方向の長さと略同一（又はそれ以上の長さ）であり、当該上側固定材の左右方向の長さが上側横枠材本体１３ａの左右方向の長さよりも短くなるように形成されている。また、この上側固定材は、上側横枠材本体１３ａのコ字状の開放端部側（具体的には、上側横枠材本体１３ａの上下方向の外側の端部側）において、所定間隔を隔てて左右方向に沿って複数並設配置されており、上側横枠材本体１３ａに対して溶接等によって固定されている。
【００４９】
上側気密部は、上側横枠材１３と開閉体２０との相互間の気密性を高めるための気密手段であり、上側気密凹部において上側横枠材本体１３ａの左右方向の略全長にわたって埋設されている。
【００５０】
（構成−枠体の構成の詳細−くつずり横枠材）
次に、枠体１０のくつずり横枠材１４の構成の詳細について説明する。ただし、くつずり横枠材１４は、特記する場合を除いて、任意の形状、方法、及び材質で製造することができる。実施の形態において、図１に示すように、くつずり横枠材１４は、部屋の床部２ｂに埋め込まれており、下側横枠材本体１４ａ及び下側固定材（図示省略）を備えている。
【００５１】
下側横枠材本体１４ａは、くつずり横枠材１４の基本構造体である。この下側横枠材本体１４ａは、Ｙ−Ｚ平面に沿った断面形状が上下方向の外側（具体的には、下側）に向けて開放された略コ字状となるように形成された中空状体であり、開口部３の左右方向の略全長にわたって形成されている。また、この下側横枠材本体１４ａは、下側横枠材本体１４ａの上端部及びその近傍部分が床部２ｂよりも上方に突出するように設けられている。
【００５２】
下側固定材は、下側横枠材本体１４ａを躯体２に対して固定すると共に、下側横枠材本体１４ａを補強するためのものであり、上側横枠材１３の上側固定材と略同様に構成されている。
【００５３】
（構成−防火構造）
次に、開閉体２０の防火構造について説明する。この開閉体２０は、防火性能を高めるための防火構造を備えており、この防火構造は、第１防火構造及び第２防火構造を備えている。以下では、これら第１防火構造及び第２防火構造について順次説明する。
【００５４】
（構成−防火構造−第１防火構造）
最初に、第１防火構造について説明する。第１防火構造は、全閉状態において防火戸１の周辺で火災が発生した場合に、開閉体２０の開閉体本体３０の見付面が当該火災の火炎に直接晒されることを回避するための防火構造であり、図３から図５に示すように、剥離防止部７０を備えている。
【００５５】
（構成−防火構造−第１防火構造−剥離防止部）
図３に戻り、剥離防止部７０は、上記火災が発生した際に、各種の見付面カバー部（具体的には、室外側見付面カバー部４０ａ、室内側見付面カバー部４０ｂ）のうち少なくとも耐火性カバー材４２が開閉体本体３０から剥離することを防止するための剥離防止手段である。この剥離防止部７０は、図３から図５に示すように、開閉体本体３０の上側見込面に設けられており、変形抑制部８０及び固定部９０を備えている。
【００５６】
（構成−防火構造−第１防火構造−剥離防止部−変形抑制部）
図３に戻り、変形抑制部８０は、各種の見付面カバー部のうち少なくとも耐火性カバー材４２が見込方向の外側に向けて変形することを抑制するための変形抑制手段であり、耐火性を有する材質（具体的には、鋼材等）を用いて構成されている。
【００５７】
また、この変形抑制部８０の具体的な構成については任意であるが、実施の形態では、変形抑制部８０の一部が第１可燃性カバー材４１ａと耐火性カバー材４２との相互間に位置し、且つ変形抑制部８０の他の一部が開閉体本体３０の見込面に対して固定部９０によって固定されることが可能となるように構成されている。
【００５８】
具体的には、まず、変形抑制部８０は、断面形状が略コ字状である鋼製の板状体に形成されており、より具体的には、図３に示すように、見込面側に位置する見込面側側片８１と、見込面側側片８１における部屋の室外側の端部から下方に向けて張り出された室外側側片８２と、見込面側側片８１における部屋の室内側の端部から下方に向けて張り出された室内側側片８３とを備えている。なお、実施の形態では、図４、図５に示すように、見込面側側片８１及び室内側側片８３の各々の部分のうち上記開閉体本体３０（又は室内側見付面カバー部４０ｂ）の切欠部分に対応する部分は、切り欠かれているものとする。
【００５９】
また、この変形抑制部８０は、当該変形抑制部８０によって、少なくとも開閉体本体３０と、室外側見付面カバー部４０ａの耐火性カバー材４２と、室内側見付面カバー部４０ｂの耐火性カバー材４２とが挟み込まれるように形成されている。より具体的には、図３に示すように、見込面側側片８１が開閉体本体３０の上面と当接し、室外側側片８２が室外側見付面カバー部４０ａの第１可燃性カバー材４１ａと耐火性カバー材４２との相互間に位置し、且つ室内側側片８３が室内側見付面カバー部４０ｂの第１可燃性カバー材４１ａと耐火性カバー材４２との相互間に位置するように、変形抑制部８０が配置されている。なお、実施の形態では、図３に示すように、室外側見付面カバー部４０ａ及び室内側見付面カバー部４０ｂの各々の第２可燃性カバー材４１ｂの上端部及びその近傍部分を切り欠いて空間を形成することにより、室外側側片８２を室外側見付面カバー部４０ａの第１可燃性カバー材４１ａと耐火性カバー材４２との相互間に位置させると共に、室内側側片８３を室内側見付面カバー部４０ｂの第１可燃性カバー材４１ａと耐火性カバー材４２との相互間に位置させている。
【００６０】
さらに、この変形抑制部８０は、図５に示すように、開閉体２０の上側見込面の略全体にわたって設けられている（ただし、実施の形態では、開閉体２０の上側見込面のうち収容空間部２４に対応する部分は除かれる）。この場合において、変形抑制部８０の具体的な形状及び大きさについては任意であるが、実施の形態では以下の通りに設定している。
【００６１】
すなわち、見込面側側片８１、室外側側片８２、及び室内側側片８３の形状については、略矩形状にそれぞれ設定している。また、見込面側側片８１の左右方向の長さについては、開閉体本体３０の左右方向の長さと略同一にそれぞれ設定し、見込面側側片８１の前後方向の長さについては、開閉体本体３０の前後方向の長さよりも若干長い長さにそれぞれ設定し、見込面側側片８１の厚さについては、室外側側片８２（又は室内側側片８３）の厚さと略同一にそれぞれ設定している。また、室外側側片８２及び室内側側片８３の左右方向の長さについては、開閉体本体３０の左右方向の長さと略同一にそれぞれ設定し、室外側側片８２及び室内側側片８３の上下方向の長さについては、開閉体本体３０の上下方向の長さよりも短い長さ（一例として、開閉体本体３０の前後方向の長さと略同一の長さ又は若干短い長さ）にそれぞれ設定している。また、室外側側片８２及び室内側側片８３の厚さについては、耐火性カバー材４２が見込方向の外側に向けて変形することを抑制することが可能な厚さにそれぞれ設定することが望ましく、一例として、実験結果等に基づいてそれぞれ設定してもよい。このような構成により、開閉体２０の上側部分を補強することができると共に、開閉体２０の見込方向への反りを効果的に抑制できる。
【００６２】
このような変形抑制部８０により、上記火災時において、室外側見付面カバー部４０ａ及び室内側見付面カバー部４０ｂの各々の耐火性カバー材４２の部分のうち、当該火災の熱によって高温になりやすい上側部分が見込方向の外側に向けて変形することを効果的に抑制できる。また、全閉状態において、防火戸１の見込方向側から見て変形抑制部８０が目立ちにくくなることから、防火戸１の意匠性を維持できる。また、変形抑制部８０が簡易な構造でありながら、変形抑制部８０の一部を室外側見付面カバー部４０ａ（又は室内側見付面カバー部４０ｂ）の第１可燃性カバー材４１ａと耐火性カバー材４２との間に位置させながら、変形抑制部８０の他の一部を開閉体本体３０の見込面に対して固定部９０によって固定でき、変形抑制部８０の製造性を高めることができる。また、１つの変形抑制部８０を用いて室外側見付面カバー部４０ａの耐火性カバー材４２の変形、及び室内側見付面カバー部４０ｂの耐火性カバー材４２の変形を抑制できる。よって、変形抑制部８０の設置数を低減でき、開閉体２０の設置コストを抑制できる。
【００６３】
（構成−防火構造−第１防火構造−剥離防止部−固定部）
図３に戻り、固定部９０は、変形抑制部８０を開閉体本体３０に対して固定するための固定手段である。この固定部９０は、例えば耐火性を有する公知の固定具（一例として、鋼製のネジ、ビス）等を用いて構成されており、図３に示すように、開閉体２０の上側見込面に設けられている。
【００６４】
また、この固定部９０の設置方法については任意であるが、実施の形態では、前後方向に沿って相互に間隔を隔てて複数配置し、且つ左右方向に沿って相互に間隔を隔てて複数配置しており、変形抑制部８０の見込面側側片８１及び開閉体本体３０に差し込むことで固定している。ここで、固定部９０の設置数については任意であるが、通常時及び上記火災時において変形抑制部８０が開閉体本体３０に対して固定された状態を維持できる個数に設定することが望ましく、一例として、実験結果等に基づいて設定してもよい。このような設置により、変形抑制部８０を開閉体本体３０に対して強固に固定でき、剥離防止部７０の設置性を高めることができる。また、防火戸１の見込方向側から見て固定部９０が目立ちにくくなることから、防火戸１の意匠性を維持できる。
【００６５】
以上のような第１の特徴により、上記火災時において、開閉体２０の見込方向への反りが比較的大きくなること等で室外側見付面カバー部４０ａ（又は室内側見付面カバー部４０ｂ）の耐火性カバー材４２が開閉体本体３０から剥離しやすい状態になったとしても、剥離防止部７０によって当該剥離を防止できる。よって、開閉体本体３０の見付面が上記火災の火炎に直接晒されることで開閉体本体３０が燃焼してしまうことを回避でき、従来技術（芯材の見付面を化粧合板、耐火シート、不燃紙で単に覆う技術）に比べて、防火戸１の防火性能を確保することが可能となる。また、変形抑制部８０によって室外側見付面カバー部４０ａ（又は室内側見付面カバー部４０ｂ）の耐火性カバー材４２が見込方向の外側に向けて変形することを抑制でき、上記火災時に当該耐火性カバー材４２が開閉体本体３０から剥離することを防止しやすくなる。また、固定部９０によって変形抑制部８０を開閉体本体３０に対して固定でき、変形抑制部８０を開閉体本体３０から脱落させることなく確実に機能させることが可能となる。さらに、剥離防止部７０を開閉体２０の上側見込面の略全体にわたって設けているので、上記火災時に室外側見付面カバー部４０ａ（又は室内側見付面カバー部４０ｂ）の耐火性カバー材４２の上側部分が開閉体本体３０から剥離することを効果的に防止でき、開閉体本体３０の見付面が当該火災の火炎に直接晒されることで開閉体本体３０が燃焼してしまうことを回避しやすくなる。
【００６６】
（構成−防火構造−第２防火構造）
次に、第２防火構造について説明する。第２防火構造は、上記火災が発生した場合に、開閉体２０の見込面側の防火性能を高めるための防火構造であり、戸先側第２防火構造及び戸尻側第２防火構造を備えている。なお、実施の形態では、戸先側第２防火構造及び戸尻側第２防火構造の各々の構成はそれぞれ略同一であるので、以下では、戸先側第２防火構造の構成のみについて説明することとする。この戸先側第２防火構造は、図６に示すように、見込面側耐火性カバー材１００及び熱膨張耐火部材１１０を備えている。
【００６７】
（構成−防火構造−第２防火構造−見込面側耐火性カバー材）
見込面側耐火性カバー材１００は、開閉体本体３０の戸先側見込面を覆うためのカバー材であって、耐火性を有するカバー材である。この見込面側耐火性カバー材１００は、例えば耐火性を有する公知のカバー材（一例として、火山性ガラス質材料で形成された耐火板）等を用いて構成されており、図６に示すように、開閉体本体３０（具体的には、戸先側縦框材３１ｂ等）と戸先側見込面カバー部５０ｂとの相互間において開閉体本体３０の戸先側見込面（実施の形態では、戸先側見込面の略全体）を覆うように配置されており、開閉体本体３０又は戸先側見込面カバー部５０ｂに対して接着剤等によって固定されている。
【００６８】
（構成−防火構造−第２防火構造−熱膨張耐火部材）
熱膨張耐火部材１１０は、上記火災が発生した際に、当該熱膨張耐火部材１１０が当該火災の熱で膨張することにより、戸先側縦枠材１２と開閉体２０との隙間４（以下、「戸先側隙間４」と称する）を塞ぐための部材である。この熱膨張耐火部材１１０は、例えば所定温度（具体的には、１５０℃〜２５０℃の温度）で加熱されることで発泡する公知の熱膨張耐火部材１１０（一例として、フィブロック等）を用いて構成されており、開閉体２０に対して複数取り付けられている。具体的には、図６に示すように、戸先側見込面カバー部５０ｂと見込面側耐火性カバー材１００との相互間において、前後方向に沿って複数並設されており、戸先側見込面カバー部５０ｂ又は見込面側耐火性カバー材１００に対して両面テープ、接着剤、又はビス等によって接続されている。
【００６９】
また、熱膨張耐火部材１１０の具体的な形状及び大きさについては任意であるが、実施の形態では、全閉状態において、戸先側隙間４を塞ぐことができるように設定している。具体的には、熱膨張耐火部材１１０の形状については、長方形状に設定している。ただし、これに限らず、例えば長方形状以外の多角形状（一例として、三角形状等）、円形状、楕円形状であってもよい。また、熱膨張耐火部材１１０の前後方向の長さについては、図６に示すように、開閉体本体３０の前後方向の長さよりも短い長さに設定しており、熱膨張耐火部材１１０の上下方向の長さについては、開閉体本体３０の上下方向の長さと略同一の長さ（又はそれよりも短い長さ）に設定している。また、熱膨張耐火部材１１０の厚さについては、見込面側耐火性カバー材１００の厚さよりも薄い厚さに設定している。ただし、これに限らず、見込面側耐火性カバー材１００の厚さよりも厚く設定してもよい。
【００７０】
このような第２の特徴（具体的には、戸先側第２防火構造の特徴）により、上記火災時に当該火災の熱で膨張した熱膨張耐火部材１１０によって戸先側隙間４を塞ぐことができ、熱膨張耐火部材１１０を設けない場合に比べて、当該火災が戸先側隙間４を介して防火戸１の見込方向のいずれか一方側から他方側に向けて延焼することを抑制できる。また、全閉状態において、防火戸１よりも部屋の室外側で火災が発生した際には、開閉体２０の見込方向への反りが発生することで開閉体２０の戸先側見込面が戸先側縦枠材１２よりも部屋の室外側に位置したとしても、見込面側耐火性カバー材１００によって開閉体本体３０の戸先側側面が当該火災の火炎に直接晒されることで開閉体本体３０が燃焼してしまうことを回避できる。よって、開閉体本体３０の機能を維持できることから、熱膨張耐火部材１１０によって戸先側隙間４が塞がれた状態を維持できる（なお、戸尻側第２防火構造の効果についても略同様とする）。
【００７１】
（防火戸の作用）
このように構成された防火戸１の作用について説明する。防火戸１の作用は、部屋の室外側で火災が発生した際の作用と、部屋の室内側で火災が発生した際の作用とに大別されるが、これら作用はそれぞれ略同一であるので、以下では、部屋の室外側で火災が発生した際の作用のみについて説明することとする。
【００７２】
すなわち、全閉状態において、部屋の室外側で火災が発生すると、図７に示すように、当該火災の熱によって室外側見付面カバー部４０ａ（又は室内側見付面カバー部４０ｂ）の耐火性カバー材４２に付着している接着剤が溶けると共に、開閉体２０の戸先側見込面の一部と戸尻側見込面の一部とが戸先側縦枠材１２よりも部屋の室外側に位置するように、開閉体２０の見込方向への反りが生じる。この場合において、室外側見付面カバー部４０ａ（又は室内側見付面カバー部４０ｂ）の耐火性カバー材４２が見込方向の外側に向けて変形しようとすると、剥離防止部７０（具体的には、変形抑制部８０）によって当該変形が抑制されることから、当該耐火性カバー材４２が開閉体本体３０から剥離することが回避される。これにより、室外側見付面カバー部４０ａ（又は室内側見付面カバー部４０ｂ）の耐火性カバー材４２の機能が維持されるので、開閉体本体３０の見付面が上記火災の火炎に直接晒されることで開閉体本体３０が燃焼してしまうことを回避できる。
【００７３】
また、上記火災時において、図８（ａ）に示す開閉体２０の見込方向への反りが生じていない場合や、図８（ｂ）に示す当該反りが生じている場合であっても、戸尻側見込面カバー部５０ａ及び戸先側見込面カバー部５０ｂが当該火災の熱による接着剤の溶解に伴って開閉体本体３０から外れ、且つ戸先側隙間４と戸尻側縦枠材１１と開閉体２０との隙間（以下、「戸尻側隙間」と称する）に設けれられた熱膨張耐火部材１１０が当該火災の熱によって膨張するので、これら戸先側隙間４及び戸尻側隙間が当該膨張した熱膨張耐火部材１１０によって塞がれるため、上記火災が戸先側隙間４又は戸尻側隙間を介して防火戸１の見込方向のいずれか一方側から他方側に向けて延焼することを抑制できる。また、図８（ｂ）に示す上記反りが生じている場合には、開閉体２０の戸先側見込面の一部と戸尻側見込面の一部とが戸先側縦枠材１２よりも部屋の室外側に位置することになるが、開閉体本体３０の戸先側見込面及び戸尻側見込面の各々が見込面側耐火性カバー材１００によって覆われているので、これら戸先側見込面及び戸尻側見込面の各々が当該火災の火炎に直接晒されることが回避される。よって、開閉体本体３０の機能が維持されるため、熱膨張耐火部材１１０によって戸先側隙間４及び戸尻側隙間が塞がれた状態を維持できる。
【００７４】
（実施の形態の効果）
このように実施の形態によれば、開閉体本体３０の見付面を覆うように設けられたカバー手段であって、可燃性を有する可燃性カバー材４１と耐火性を有する耐火性カバー材４２とを見込方向に積層してなるカバー手段と、耐火性を有する剥離防止部７０であって、全閉状態において防火戸１の周辺で火災が発生した際に、カバー手段のうち少なくとも耐火性カバー材４２が開閉体本体３０から剥離することを防止するための剥離防止部７０と、を備えるので、上記火災時において、開閉体２０の見込方向への反りが比較的大きくなること等でカバー手段の耐火性カバー材４２が開閉体本体３０から剥離しやすい状態になったとしても、剥離防止部７０によって当該剥離を防止できる。よって、開閉体本体３０の見付面が上記火災の火炎に直接晒されることで開閉体本体３０が燃焼してしまうことを回避でき、従来技術（芯材の見付面を化粧合板、耐火シート、不燃紙で単に覆う技術）に比べて、防火戸１の防火性能を確保することが可能となる。
【００７５】
また、剥離防止部７０が、カバー手段のうち少なくとも耐火性カバー材４２が見込方向の外側に向けて変形することを抑制するための変形抑制部８０と、変形抑制部８０を開閉体本体３０に対して固定するための固定部９０と、を備えるので、変形抑制部８０によってカバー手段の耐火性カバー材４２が見込方向の外側に向けて変形することを抑制でき、上記火災時に当該耐火性カバー材４２が開閉体本体３０から剥離することを防止しやすくなる。また、固定部９０によって変形抑制部８０を開閉体本体３０に対して固定でき、変形抑制部８０を開閉体本体３０から脱落させることなく確実に機能させることが可能となる。
【００７６】
また、カバー手段が、開閉体本体３０の見付面と当接するように配置された耐火性カバー材４２と、耐火性カバー材４２よりも外側に位置する第１可燃性カバー材４１ａであって、化粧板として機能する第１可燃性カバー材４１ａと、耐火性カバー材４２と第１可燃性カバー材４１ａとの相互間に位置する第２可燃性カバー材４１ｂであって、下地材として機能する第２可燃性カバー材４１ｂと、を積層してなり、変形抑制部８０の一部が第１可燃性カバー材４１ａと耐火性カバー材４２との相互間に位置し、且つ変形抑制部８０の他の一部が開閉体本体３０の見込面に対して固定部９０によって固定されることが可能となるように、変形抑制部８０を構成したので、全閉状態において、防火戸１の見込方向側から見て変形抑制部８０が目立ちにくくなることから、防火戸１の意匠性を維持できる。
【００７７】
また、変形抑制部８０を、断面形状が略コ字状である板状体に形成したので、変形抑制部８０が簡易な構造でありながら、変形抑制部８０の一部をカバー手段の第１可燃性カバー材４１ａと耐火性カバー材４２との間に位置させながら、変形抑制部８０の他の一部を開閉体本体３０の見込面に対して固定部９０によって固定でき、変形抑制部８０の製造性を高めることができる。
【００７８】
また、変形抑制部８０によって、少なくとも開閉体本体３０と、室外側見付面カバー部４０ａの耐火性カバー材４２と、室内側見付面カバー部４０ｂの耐火性カバー材４２とが挟み込まれるように、当該変形抑制部８０を形成したので、１つの変形抑制部８０を用いて室外側見付面カバー部４０ａの耐火性カバー材４２の変形、及び室内側見付面カバー部４０ｂの耐火性カバー材４２の変形を抑制できる。よって、変形抑制部８０の設置数を低減でき、開閉体２０の設置コストを抑制できる。
【００７９】
また、防火戸１を、建物の壁部２ａに形成された開口部３に設け、剥離防止部７０を、当該開閉体２０の見込面のうち上側に位置する上側見込面の略全体にわたって設けたので、上記火災時にカバー手段の耐火性カバー材４２の上側部分が開閉体本体３０から剥離することを効果的に防止でき、開閉体本体３０の見付面が当該火災の火炎に直接晒されることで開閉体本体３０が燃焼してしまうことを回避しやすくなる。
【００８０】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００８１】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００８２】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００８３】
（開閉体について）
上記実施の形態では、開閉体２０が施錠装置２２及びドアクローザ２３を備えていると説明したが、これに限らず、例えば、施錠装置２２又はドアクローザ２３を省略してもよい。ここで、ドアクローザ２３を省略する場合には、収容空間部２４も省略できると共に、上記室内側側片８３の切り欠き部も省略できる。
【００８４】
また、上記実施の形態では、ドアクローザ２３が、開閉体本体３０の内部に設けられていると説明したが、これに限らず、例えば、開閉体本体３０の外部において、開閉体本体３０の上端部と当接するように設けられてもよい。この場合には、収容空間部２４を省略できると共に、上記室内側側片８３の切り欠き部も省略できる。
【００８５】
（開閉体本体について）
上記実施の形態では、開閉体本体３０が芯材３２を備えていると説明したが、これに限らず、例えば、芯材３２を省略してもよい。
【００８６】
また、上記実施の形態では、開閉体本体３０の開閉体フレーム３１が、可燃性を有する複数の框材を用いて構成されていると説明したが、これに限らず、例えば、耐火性を有する複数の框材を用いて構成されてもよい。
【００８７】
（室外側見付面カバー部、室内側見付面カバー部について）
上記実施の形態では、室外側見付面カバー部４０ａ（又は室内側見付面カバー部４０ｂ）の可燃性カバー材４１の設置数が２つであると説明したが、これに限らず、例えば、１つ又は３つ以上であってもよい。また、上記実施の形態では、室外側見付面カバー部４０ａ（又は室内側見付面カバー部４０ｂ）の耐火性カバー材４２の設置数が１つであると説明したが、これに限らず、例えば、２つ以上であってもよい。
【００８８】
また、上記実施の形態では、室外側見付面カバー部４０ａ及び室内側見付面カバー部４０ｂの各々が、耐火性カバー材４２及び可燃性カバー材４１を備えていると説明したが、これに限らない。例えば、室外側見付面カバー部４０ａ又は室内側見付面カバー部４０ｂのいずれか一方が、耐火性カバー材４２及び可燃性カバー材４１を備え、室外側見付面カバー部４０ａ又は室内側見付面カバー部４０ｂのいずれか他方が、可燃性カバー材４１のみを備えてもよい。この場合には、剥離防止部７０は、室外側見付面カバー部４０ａ又は室内側見付面カバー部４０ｂのいずれか一方が開閉体本体３０から剥離することを防止するように構成される。
【００８９】
また、上記実施の形態では、室外側見付面カバー部４０ａ及び室内側見付面カバー部４０ｂの各々が、耐火性カバー材４２、第１可燃性カバー材４１ａ、及び第２可燃性カバー材４１ｂを備えていると説明したが、これに限らない。例えば、図９に示すように、開閉体本体３０の見付面と当接するように配置された第１耐火性カバー材４２ａと、第１耐火性カバー材４２ａよりも外側に位置する第２耐火性カバー材４２ｂと、第１耐火性カバー材４２ａと第２耐火性カバー材４２ｂとの相互間に位置する可燃性カバー材４１であって、下地材として機能する可燃性カバー材４１と、を積層してなるように構成されてもよい。この場合には、変形抑制部８０が、開閉体本体３０と、室外側見付面カバー部４０ａ全体と、室内側見付面カバー部４０ｂ全体とが挟み込まれるように形成されてもよい。
【００９０】
（防火構造について）
上記実施の形態では、防火構造が、第２防火構造を備えていると説明したが、これに限らず、例えば、第２防火構造を省略してもよい。
【００９１】
（第１防火構造について）
上記実施の形態では、剥離防止部７０が、開閉体２０の上側見込面に設けられていると説明したが、これに限らず、例えば、開閉体２０の下側見込面、戸先側見込面、又は戸尻側見込面に設けられてもよく、あるいは、これら見込面のすべてに設けられてもよい。
【００９２】
また、上記実施の形態では、剥離防止部７０が、開閉体２０の上側見込面の略全体にわたって設けられていると説明したが、これに限らず、例えば、上側見込面の一部のみに設けられてもよい。
【００９３】
また、上記実施の形態では、剥離防止部７０が、変形抑制部８０及び固定部９０を備えていると説明したが、これに限らない。例えば、変形抑制部８０によって開閉体本体３０と、室外側見付面カバー部４０ａの耐火性カバー材４２と、及び室内側見付面カバー部４０ｂの耐火性カバー材４２とが強固に挟み込まれる場合には、固定部９０を省略してもよい。また、図１０に示すように、開閉体２０の見込方向側から固定部９０を室外側見付面カバー部４０ａ（又は室内側見付面カバー部４０ｂ）及び開閉体本体３０に対して差し込むことで、室外側見付面カバー部４０ａ（又は室内側見付面カバー部４０ｂ）の耐火性カバー材４２の剥離を防止できる場合には、変形抑制部８０を省略してもよい。この場合には、開閉体本体３０の上側見込面に耐火性カバー材４２が設けられてもよい。
【００９４】
（変形抑制部について）
上記実施の形態では、変形抑制部８０が、断面形状が略コ字状である鋼製の板状体に形成されていると説明したが、これに限らない。例えば、図１１に示すように、断面形状がＬ字状である板状体に形成されることにより、室外側見付面カバー部４０ａの耐火性カバー材４２又は室内側見付面カバー部４０ｂの耐火性カバー材４２のいずれか一方の剥離を防止してもよい。
【００９５】
（固定部について）
上記実施の形態では、固定部９０が、変形抑制部８０の見込面側側片８１及び開閉体本体３０に差し込まれるように設けられていると説明したが、これに限らず、図１２に示すように、変形抑制部８０の室外側側片８２（又は室内側側片８３）及び開閉体本体３０に差し込まれるように設けられてもよい。
【００９６】
また、上記実施の形態では、固定部９０が、前後方向に沿って相互に間隔を隔てて複数配置し、且つ左右方向に沿って相互に間隔を隔てて複数配置されていると説明したが、これに限らない。例えば、前後方向に沿って１つのみ配置してもよく、又は、左右方向に沿って１つのみ配置されてもよい。
【００９７】
（第２防火構造について）
上記実施の形態では、第２防火構造が、戸先側第２防火構造及び戸尻側第２防火構造を備えていると説明したが、これに限らず、戸先側第２防火構造又は戸尻側第２防火構造のいずれか一方を省略してもよい。
【００９８】
また、上記実施の形態では、戸先側第２防火構造（又は戸尻側第２防火構造）が、見込面側耐火性カバー材１００及び熱膨張耐火部材１１０を備えていると説明したが、これに限らず、例えば、見込面側耐火性カバー材１００又は熱膨張耐火部材１１０のいずれか一方を省略してもよい。
【００９９】
（付記）
付記１の防火戸用の開閉体は、建物の開口部に設けられる防火戸を構成する開閉体であって、開閉体本体と、前記開閉体本体の見付面を覆うように設けられたカバー手段であって、可燃性を有する可燃性カバー材と耐火性を有する耐火性カバー材とを見込方向に積層してなるカバー手段と、耐火性を有する剥離防止手段であって、当該開閉体によって前記開口部を全閉した全閉状態において前記防火戸の周辺で火災が発生した際に、前記カバー手段のうち少なくとも前記耐火性カバー材が前記開閉体本体から剥離することを防止するための剥離防止手段と、を備える。
【０１００】
付記２の防火戸用の開閉体は、付記１に記載の防火戸用の開閉体において、前記剥離防止手段は、前記カバー手段のうち少なくとも前記耐火性カバー材が見込方向の外側に向けて変形することを抑制するための変形抑制手段と、前記変形抑制手段を前記開閉体本体に対して固定するための固定手段と、を備える。
【０１０１】
付記３の防火戸用の開閉体は、付記２に記載の防火戸用の開閉体において、前記カバー手段は、前記開閉体本体の見付面と当接するように配置された前記耐火性カバー材と、前記耐火性カバー材よりも外側に位置する第１可燃性カバー材であって、化粧板として機能する第１可燃性カバー材と、前記耐火性カバー材と前記第１可燃性カバー材との相互間に位置する第２可燃性カバー材であって、下地材として機能する第２可燃性カバー材と、を積層してなり、前記変形抑制手段の一部が前記第１可燃性カバー材と前記耐火性カバー材との相互間に位置し、且つ前記変形抑制手段の他の一部が前記開閉体本体の見込面に対して前記固定手段によって固定されることが可能となるように、前記変形抑制手段を構成した。
【０１０２】
付記４の防火戸用の開閉体は、付記３に記載の防火戸用の開閉体において、前記変形抑制手段を、断面形状が略コ字状である板状体に形成した。
【０１０３】
付記５の防火戸用の開閉体は、付記４に記載の防火戸用の開閉体において、前記カバー手段は、前記開閉体本体の見付面のいずれか一方を覆うように設けられた第１カバー手段と、前記開閉体本体の見付面のいずれか他方を覆うように設けられた第２カバー手段と、を含み、前記変形抑制手段によって、少なくとも前記開閉体本体と、前記第１カバー手段の前記耐火性カバー材と、前記第２カバー手段の前記耐火性カバー材とが挟み込まれるように、当該変形抑制手段を形成した。
【０１０４】
付記６の防火戸用の開閉体は、付記１から５のいずれか一項に記載の防火戸用の開閉体において、前記防火戸を、前記建物の壁部に形成された前記開口部に設け、前記剥離防止手段を、当該開閉体の見込面のうち上側に位置する上側見込面の略全体にわたって設けた。
【０１０５】
（付記の効果）
付記１に記載の防火戸用の開閉体によれば、開閉体本体の見付面を覆うように設けられたカバー手段であって、可燃性を有する可燃性カバー材と耐火性を有する耐火性カバー材とを見込方向に積層してなるカバー手段と、耐火性を有する剥離防止手段であって、全閉状態において防火戸の周辺で火災が発生した際に、カバー手段のうち少なくとも耐火性カバー材が開閉体本体から剥離することを防止するための剥離防止手段と、を備えるので、上記火災時において、開閉体の見込方向への反りが比較的大きくなること等でカバー手段の耐火性カバー材が開閉体本体から剥離しやすい状態になったとしても、剥離防止手段によって当該剥離を防止できる。よって、開閉体本体の見付面が上記火災の火炎に直接晒されることで開閉体本体が燃焼してしまうことを回避でき、従来技術（芯材の見付面を化粧合板、耐火シート、不燃紙で単に覆う技術）に比べて、防火戸の防火性能を確保することが可能となる。
【０１０６】
付記２に記載の防火戸用の開閉体によれば、剥離防止手段が、カバー手段のうち少なくとも耐火性カバー材が見込方向の外側に向けて変形することを抑制するための変形抑制手段と、変形抑制手段を開閉体本体に対して固定するための固定手段と、を備えるので、変形抑制手段によってカバー手段の耐火性カバー材が見込方向の外側に向けて変形することを抑制でき、上記火災時に当該耐火性カバー材が開閉体本体から剥離することを防止しやすくなる。また、固定手段によって変形抑制手段を開閉体本体に対して固定でき、変形抑制手段を開閉体本体から脱落させることなく確実に機能させることが可能となる。
【０１０７】
付記３に記載の防火戸用の開閉体によれば、カバー手段が、開閉体本体の見付面と当接するように配置された耐火性カバー材と、耐火性カバー材よりも外側に位置する第１可燃性カバー材であって、化粧板として機能する第１可燃性カバー材と、耐火性カバー材と第１可燃性カバー材との相互間に位置する第２可燃性カバー材であって、下地材として機能する第２可燃性カバー材と、を積層してなり、変形抑制手段の一部が第１可燃性カバー材と耐火性カバー材との相互間に位置し、且つ変形抑制手段の他の一部が開閉体本体の見込面に対して固定手段によって固定されることが可能となるように、変形抑制手段を構成したので、全閉状態において、防火戸の見込方向側から見て変形抑制手段が目立ちにくくなることから、防火戸の意匠性を維持できる。
【０１０８】
付記４に記載の防火戸用の開閉体によれば、変形抑制手段を、断面形状が略コ字状である板状体に形成したので、変形抑制手段が簡易な構造でありながら、変形抑制手段の一部をカバー手段の第１可燃性カバー材と耐火性カバー材との間に位置させながら、変形抑制手段の他の一部を開閉体本体の見込面に対して固定手段によって固定でき、変形抑制手段の製造性を高めることができる。
【０１０９】
付記５に記載の防火戸用の開閉体によれば、変形抑制手段によって、少なくとも開閉体本体と、第１カバー手段の耐火性カバー材と、第２カバー手段の耐火性カバー材とが挟み込まれるように、当該変形抑制手段を形成したので、１つの変形抑制手段を用いて第１カバー手段の耐火性カバー材の変形、及び第２カバー手段の耐火性カバー材の変形を抑制できる。よって、変形抑制手段の設置数を低減でき、開閉体の設置コストを抑制できる。
【０１１０】
付記６に記載の防火戸用の開閉体によれば、防火戸を、建物の壁部に形成された開口部に設け、剥離防止手段を、当該開閉体の見込面のうち上側に位置する上側見込面の略全体にわたって設けたので、上記火災時にカバー手段の耐火性カバー材の上側部分が開閉体本体から剥離することを効果的に防止でき、開閉体本体の見付面が当該火災の火炎に直接晒されることで開閉体本体が燃焼してしまうことを回避しやすくなる。
【符号の説明】
【０１１１】
１  防火戸
２  躯体
２ａ  壁部
２ｂ  床部
３  開口部
４  戸先側隙間
１０  枠体
１１  戸尻側縦枠材
１１ａ  縦枠材本体
１１ｂ  縦枠材側固定材
１１ｃ  縦枠材側気密部
１１ｄ  縦枠材側凹部
１１ｅ  縦枠材側気密凹部
１２  戸先側縦枠材
１３  上側横枠材
１３ａ  上側横枠材本体
１４  くつずり横枠材
１４ａ  下側横枠材本体
２０  開閉体
２１  把手部
２２  施錠装置
２３  ドアクローザ
２３ａ  本体部
２３ｂ  アーム部
２４  収容空間部
３０  開閉体本体
３１  開閉体フレーム
３１ａ  戸尻側縦框材
３１ｂ  戸先側縦框材
３１ｃ  上側横框材
３１ｄ  下側横框材
３２  芯材
４０ａ  室外側見付面カバー部
４０ｂ  室内側見付面カバー部
４１  可燃性カバー材
４１ａ  第１可燃性カバー材
４１ｂ  第２可燃性カバー材
４２  耐火性カバー材
４２ａ  第１耐火性カバー材
４２ｂ  第２耐火性カバー材
５０ａ  戸尻側見込面カバー部
５０ｂ  戸先側見込面カバー部
６０  ヒンジ部
７０  剥離防止部
８０  変形抑制部
８１  見込面側側片
８２  室外側側片
８３  室内側側片
９０  固定部
１００  見込面側耐火性カバー材
１１０  熱膨張耐火部材
【図１】
2020180447.tif 000003
【図２】
2020180447.tif 000004
【図３】
2020180447.tif 000005
【図４】
2020180447.tif 000006
【図５】
2020180447.tif 000007
【図６】
2020180447.tif 000008
【図７】
2020180447.tif 000009
【図８】
2020180447.tif 000010
【図９】
2020180447.tif 000011
【図１０】
2020180447.tif 000012
【図１１】
2020180447.tif 000013
【図１２】
2020180447.tif 000014